(57)【要約】【課題】画像情報の部分ごとに画像形成材料の削減処理を異ならせることを可能にすると共に、画像形成材料が削減目標通りに削減される可能性が高まるようにする。【解決手段】トナー削減率等の目標情報を受け付ける目標情報受付部１１と、トナー削減処理の際の指針となる指針情報を受け付ける指針情報受付部１２と、オブジェクト種別とトナー削減処理の種類とを対応付けた処理情報を受け付ける処理情報受付部１３と、目標情報、指針情報、処理情報を記憶する記憶部１４と、画像データを受け付ける画像受付部１５と、画像データを解析する画像解析部１６と、記憶部１４に記憶された目標情報、指針情報、処理情報に基づいてトナー削減処理の内容を決定する処理決定部１７と、決定されたトナー削減処理を画像データに適用して出力する画像出力部１８とを備える。【選択図】図１
2009069680.tif 000002
【特許請求の範囲】
【請求項１】
画像情報を受け付ける受付手段と、
前記受付手段により受け付けた前記画像情報に基づく画像形成にて用いられる画像形成材料の削減目標に関する目標情報を取得する取得手段と、
前記取得手段により取得された前記目標情報に応じて、前記受付手段により受け付けた前記画像情報の部分ごとに、前記画像形成材料を削減する処理の内容を決定する決定手段と
を備えたことを特徴とする画像処理装置。
【請求項２】
前記取得手段は、前記画像情報の部分ごとに前記画像形成材料を削減する処理の種類を定めた処理情報を更に取得し、
前記決定手段は、前記取得手段により取得された前記処理情報にて定められた種類の処理で用いるデータを決定することにより、前記画像形成材料を削減する処理の内容を決定することを特徴とする請求項１記載の画像処理装置。
【請求項３】
前記画像情報の部分は、前記画像情報を構成するオブジェクトであり、
前記決定手段は、特定のオブジェクトを当該特定のオブジェクトの特性に基づいて決定し、当該特定のオブジェクトについて、当該特定のオブジェクト以外のオブジェクトよりも前記画像形成材料の削減効果が得られるように、前記画像形成材料を削減する処理の内容を決定することを特徴とする請求項１記載の画像処理装置。
【請求項４】
前記取得手段は、前記画像形成材料を削減する際の指針となる指針情報を更に取得し、
前記決定手段は、前記取得手段により取得された前記指針情報に基づいて、前記特定のオブジェクトを決定することを特徴とする請求項３記載の画像処理装置。
【請求項５】
前記決定手段は、前記特定のオブジェクトの種別の指定に基づいて、前記特定のオブジェクトを決定することを特徴とする請求項３記載の画像処理装置。
【請求項６】
前記決定手段は、前記特定のオブジェクトの前記画像情報に占める面積に基づいて、前記特定のオブジェクトを決定することを特徴とする請求項３記載の画像処理装置。
【請求項７】
前記決定手段は、前記特定のオブジェクトの前記画像情報内の位置に基づいて、前記特定のオブジェクトを決定することを特徴とする請求項３記載の画像処理装置。
【請求項８】
前記決定手段は、一定の基準を満たす処理の内容が決定できない場合に、前記画像形成材料の削減効果がより現れるものとして事前に定められた例外処理を実行することを決定することを特徴とする請求項１記載の画像処理装置。
【請求項９】
コンピュータに、
画像情報を受け付ける機能と、
受け付けた前記画像情報に基づく画像形成にて用いられる画像形成材料の削減目標に関する目標情報を取得する機能と、
取得された前記目標情報に応じて、受け付けた前記画像情報の部分ごとに、前記画像形成材料を削減する処理の内容を決定する機能と
を実現させるためのプログラム。
【発明の詳細な説明】
【技術分野】
【０００１】
本発明は、画像処理装置、プログラムに関する。
【背景技術】
【０００２】
近年、環境への配慮やランニングコストの低減等を目的として、通常よりも少ない画像形成材料（例えばトナー）を用いて印刷を行うモード（例えばトナーセーブモード）を備えたプリンタ等の画像形成装置が登場している。
ここで、例えばトナーの使用量の削減に関する技術としては、従来、画像中のオブジェクトに応じてトナーセーブ方法を切り替えるものがあった（例えば、特許文献１〜３参照）。
【０００３】
特許文献１では、イメージデータに対してはトナーセーブ用ディザパターンによるトナーセーブ方法を用いて描画処理を行い、単色背景に対してはトナーセーブ用ディザパターンで処理したときの点灯ピクセル数に基づき単色背景のオブジェクトの引き下げ濃度値を決定するトナーセーブ方法を用いて描画処理を行っている。
【０００４】
特許文献２では、文字／線画領域については、例えば画像データが４ｂｉｔであれば入力画像に対して２進表示０１１１とのＡＮＤ演算を行なって最高濃度を１６進表示で７に下げる処理を行った結果を出力し、写真画像領域については、１ドット置きにドットを間引く処理を行った結果を出力するようにしている。
【０００５】
特許文献３では、印刷データの種類（例えば、テキストデータ、グラフィックスデータ、イメージデータ等）に応じてトナー量を節約して画像記録を行う複数のトナーセーブモードのうち、何れかのトナーセーブモードを選択可能にしている。
【０００６】
【特許文献１】特開２００１−８３８４５号公報
【特許文献２】特開平１１−１５１８３３号公報
【特許文献３】特開２０００−１３２００６号公報
【発明の開示】
【発明が解決しようとする課題】
【０００７】
ここで、一般に、画像情報の部分ごとに処理を異ならせて画像形成材料の削減処理を実施したとしても、画像全体として画像形成材料の削減が削減目標通りに行われているとは限らなかった。
本発明の目的は、画像情報の部分ごとに画像形成材料の削減処理を異ならせることを可能にすると共に、画像形成材料が削減目標通りに削減される可能性が高まるようにすることにある。
【課題を解決するための手段】
【０００８】
請求項１に記載の発明は、画像情報を受け付ける受付手段と、前記受付手段により受け付けた前記画像情報に基づく画像形成にて用いられる画像形成材料の削減目標に関する目標情報を取得する取得手段と、前記取得手段により取得された前記目標情報に応じて、前記受付手段により受け付けた前記画像情報の部分ごとに、前記画像形成材料を削減する処理の内容を決定する決定手段とを備えたことを特徴とする画像処理装置である。
請求項２に記載の発明は、前記取得手段は、前記画像情報の部分ごとに前記画像形成材料を削減する処理の種類を定めた処理情報を更に取得し、前記決定手段は、前記取得手段により取得された前記処理情報にて定められた種類の処理で用いるデータを決定することにより、前記画像形成材料を削減する処理の内容を決定することを特徴とする請求項１記載の画像処理装置である。
請求項３に記載の発明は、前記画像情報の部分は、前記画像情報を構成するオブジェクトであり、前記決定手段は、特定のオブジェクトを当該特定のオブジェクトの特性に基づいて決定し、当該特定のオブジェクトについて、当該特定のオブジェクト以外のオブジェクトよりも前記画像形成材料の削減効果が得られるように、前記画像形成材料を削減する処理の内容を決定することを特徴とする請求項１記載の画像処理装置である。
請求項４に記載の発明は、前記取得手段は、前記画像形成材料を削減する際の指針となる指針情報を更に取得し、前記決定手段は、前記取得手段により取得された前記指針情報に基づいて、前記特定のオブジェクトを決定することを特徴とする請求項３記載の画像処理装置である。
請求項５に記載の発明は、前記決定手段は、前記特定のオブジェクトの種別の指定に基づいて、前記特定のオブジェクトを決定することを特徴とする請求項３記載の画像処理装置である。
請求項６に記載の発明は、前記決定手段は、前記特定のオブジェクトの前記画像情報に占める面積に基づいて、前記特定のオブジェクトを決定することを特徴とする請求項３記載の画像処理装置である。
請求項７に記載の発明は、前記決定手段は、前記特定のオブジェクトの前記画像情報内の位置に基づいて、前記特定のオブジェクトを決定することを特徴とする請求項３記載の画像処理装置である。
請求項８に記載の発明は、前記決定手段は、一定の基準を満たす処理の内容が決定できない場合に、前記画像形成材料の削減効果がより現れるものとして事前に定められた例外処理を実行することを決定することを特徴とする請求項１記載の画像処理装置である。
請求項９に記載の発明は、コンピュータに、画像情報を受け付ける機能と、受け付けた前記画像情報に基づく画像形成にて用いられる画像形成材料の削減目標に関する目標情報を取得する機能と、取得された前記目標情報に応じて、受け付けた前記画像情報の部分ごとに、前記画像形成材料を削減する処理の内容を決定する機能とを実現させるためのプログラムである。
【発明の効果】
【０００９】
請求項１の発明は、画像情報の部分ごとに画像形成材料の削減処理を異ならせることができ、画像形成材料が削減目標通りに削減される可能性が高まるという効果を有する。
請求項２の発明は、画像情報の部分ごとの画像形成材料の削減処理の種類が決まった状態で、削減処理の内容を異ならせることができるという効果を有する。
請求項３の発明は、異なるオブジェクトについての画像形成材料の削減効果を異ならせることができるという効果を有する。
請求項４の発明は、画像形成材料の削減効果を得たいオブジェクトを、画像形成材料を削減する際の指針として指定することができるという効果を有する。
請求項５の発明は、画像形成材料の削減効果を得たいオブジェクトを、オブジェクトの種別によって指定することがきるという効果を有する。
請求項６の発明は、画像形成材料の削減効果を得たいオブジェクトを、オブジェクトの面積によって指定することがきるという効果を有する。
請求項７の発明は、画像形成材料の削減効果を得たいオブジェクトを、オブジェクトの位置によって指定することがきるという効果を有する。
請求項８の発明は、画像形成材料の削減処理として一定の基準を満たすものが決定されなかった場合でも、画像形成材料を削減できる可能性があるという効果を有する。
請求項９の発明は、画像情報の部分ごとに画像形成材料の削減処理を異ならせることができ、画像形成材料が削減目標通りに削減される可能性が高まるという効果を有する。
【発明を実施するための最良の形態】
【００１０】
以下、添付図面を参照して、本発明を実施するための最良の形態（以下、「実施の形態」という）について詳細に説明する。
図１は、本実施の形態における画像処理装置１０の構成例を示したブロック図である。
この画像処理装置１０は、例えば、プリンタや複写機等の画像形成装置内に設けられる。そして、図示しないパーソナルコンピュータ（ＰＣ）から送信された画像データや、図示しない画像読取装置が読み取った画像データに対して所定の画像処理を施す。また、画像処理が施された画像データを、Ｃ（シアン）、Ｍ（マゼンタ）、Ｙ（イエロー）、Ｋ（ブラック）の４色の色材階調データに変換し、画像形成装置内の図示しない画像形成部に出力する。尚、本実施の形態では、画像形成材料としてトナーを例にとり説明する。
【００１１】
図示するように、画像処理装置１０は、目標情報受付部１１と、指針情報受付部１２と、処理情報受付部１３と、記憶部１４と、画像受付部１５と、画像解析部１６と、処理決定部１７と、画像出力部１８とを備えている。
【００１２】
目標情報受付部１１は、トナーの削減目標に関する情報（以下、「目標情報」という）を受け付ける。ここで、目標情報は、例えば、通常のトナー使用量に対するトナー削減量の割合であるトナー削減率で指定するとよい。本実施の形態では、目標情報を取得する取得手段の一例として、目標情報受付部１１を設けている。
指針情報受付部１２は、トナーを削減する際の指針となる情報（以下、「指針情報」という）を受け付ける。ここで、指針情報は、例えば、トナー削減処理を行う際に重視すべきオブジェクト種別その他の情報を含む。また、この場合のその他の情報としては、例えば、画像に占める面積に基づいて重視すべきオブジェクト種別を決定すべき旨の情報や、画像内の位置に基づいて重視すべきオブジェクト種別を決定すべき旨の情報がある。また、指針情報は、効果が大きい方法があれば指針を変えてもよい旨の情報を含んでもよい。本実施の形態では、指針情報を取得する取得手段の一例として、指針情報受付部１２を設けている。
処理情報受付部１３は、オブジェクト種別ごとにそのオブジェクト種別の画像部分に対して用いるトナー削減処理の種類を定義した情報（以下、「処理情報」という）を受け付ける。ここで、オブジェクト種別には、テキスト（文字）、グラフィック（図形）、イメージ（写真や絵）があり、トナー削減処理の種類には、一律処理、階調重視処理、色重視処理等があるので、処理情報は、これらを対応付けたものになる。本実施の形態では、処理情報を取得する取得手段の一例として、処理情報受付部１３を設けている。
記憶部１４は、目標情報受付部１１が受け付けた目標情報と、指針情報受付部１２が受け付けた指針情報と、処理情報受付部１３が受け付けた処理情報とを記憶する。
【００１３】
画像受付部１５は、図示しないＰＣや画像読取装置等から印刷対象の画像データを受け付ける。本実施の形態では、画像情報を受け付ける受付手段の一例として、画像受付部１５を設けている。
画像解析部１６は、画像受付部１５が受け付けた画像データを解析して画像データに含まれるオブジェクトを認識し、画像データをオブジェクトに分割する。
処理決定部１７は、画像解析部１６により分割されたオブジェクトごとに、記憶部１４に記憶された目標情報、指針情報、処理情報を参照し、トナー削減処理の内容（種類、パラメータ等）を決定する。本実施の形態では、画像形成材料を削減する処理の内容を決定する決定手段の一例として、処理決定部１７を設けている。
画像出力部１８は、記憶部１４に記憶された目標情報に示されるトナーの削減目標を満足するようなトナー削減処理の内容が処理決定部１７により決定された場合に、決定されたトナー削減処理を画像データに対して行い、処理後の画像データを図示しない画像形成部に出力する。
【００１４】
ここで、本実施の形態で用いるトナー削減処理、及び、そのトナー削減処理で用いるデータ（パラメータ）を生成するための処理決定部１７の機能について説明する。
まず、一律処理について説明する。
図２は、一律処理におけるパラメータの生成について説明するための図である。
（ａ）に、一律処理における入力信号の濃度値と出力信号の濃度値との関係を示す。例えば、トナー削減率が１０％の場合は、入力信号の濃度値Ｃｉｎの９０％が出力信号の濃度値Ｃｏｕｔとなるようにし、トナー削減率が２０％の場合は、入力信号の濃度値Ｃｉｎの８０％が出力信号の濃度値Ｃｏｕｔとなるようにする。
【００１５】
（ｂ）は、一律処理におけるパラメータの生成に関する処理決定部１７の詳細な構成例を示したブロック図である。図示するように、処理決定部１７は、トナー削減率を指示する削減率指示部１７ａと、トナー削減率に応じた補正データを生成する補正データ生成部１７ｄと、この補正データに基づいてパラメータを生成するパラメータ生成部１７ｅとを備える。
【００１６】
このような構成を有する処理決定部１７において、削減率指示部１７ａは、一律処理を行う際のトナー削減率を指示する。これにより、補正データ生成部１７ｄは、そのトナー削減率に対応する直線（（ａ）参照）を特定する。そして、パラメータ生成部１７ｅは、この直線上にある入力信号の濃度値と出力信号の濃度値との組み合わせを一定間隔の点について取得し、これらの組み合わせを例えばＬＵＴ（LookUp Table）として保持し、これを参照して信号の変換を行うようにする。
【００１７】
ところが、図２のような一律処理を行った場合、トナー削減率に比例して人間が知覚する画像濃度（知覚的濃度）も推移するというわけではない。例えば、トナーを同じ１０％削減した場合であっても、画像濃度が急激に低下したり、あまり変わらなかったりするという現象が生じ得る。
これは、出力デバイスが一般に直線的ではない固有の階調特性を有することに起因する。
図３に、このような階調特性の一例を示す。ここでは、一例として２５６階調の出力信号（濃度値Ｃｏｕｔ＝０〜２５５）に対する画像濃度を、Ｃｏｕｔ＝２５５の場合の画像濃度に対する比率で示している。
【００１８】
そこで、本実施の形態では、トナー削減量に比例して知覚的濃度も低下するようなトナー削減処理を行う。これが、階調重視処理である。
次に、この階調重視処理について説明する。
図４は、階調重視処理におけるパラメータの生成について説明するための図である。
（ａ）に、階調重視処理における入力信号の濃度値と出力信号の濃度値との関係を示す。例えば、トナー削減率が１０％の場合は、入力信号の濃度値Ｃｉｎに対する出力信号の濃度値Ｃｏｕｔを図３の出力信号Ｃｏｕｔとすると画像濃度が９０％となるようにし、トナー削減率が２０％の場合は、入力信号の濃度値Ｃｉｎに対する出力信号の濃度値Ｃｏｕｔを図３の出力信号Ｃｏｕｔとすると画像濃度が８０％となるようにする。
【００１９】
（ｂ）は、階調重視処理におけるパラメータの生成に関する処理決定部１７の詳細な構成例を示したブロック図である。図示するように、処理決定部１７は、トナー削減率を指示する削減率指示部１７ａと、階調特性に関する情報（図３参照）を保持する階調特性保持部１７ｂと、トナー削減率と階調特性とに基づいて入力信号の各濃度値に対する出力信号の濃度値を取得する濃度値取得部１７ｃとを備える。また、取得した濃度値から補正データを生成する補正データ生成部１７ｄと、この補正データに基づいてパラメータを生成するパラメータ生成部１７ｅとを備える。
【００２０】
このような構成を有する処理決定部１７において、削減率指示部１７ａは、階調重視処理を行う際のトナー削減率を指示する。これにより、濃度値取得部１７ｃは、階調特性保持部１７ｂが保持する階調特性（図３参照）を参照して、入力信号の各濃度値に対する出力信号の濃度値を求める。例えば、入力信号の濃度値（０，５，１０，１５，…，２５５）に対し、出力信号の濃度値（Ｃｏｕｔ（０），Ｃｏｕｔ（５），Ｃｏｕｔ（１０），Ｃｏｕｔ（１５），…，Ｃｏｕｔ（２５５））を求める。ここで、トナー削減率として１０％が指示されたとすると、Ｃｏｕｔ（０）、Ｃｏｕｔ（５）、Ｃｏｕｔ（１０）、Ｃｏｕｔ（１５）、…、Ｃｏｕｔ（２５５）は、それぞれ、画像濃度が０％、４．５％、９％、１３．５％，…，２２９．５％となるような出力信号の濃度値を意味している。これにより、補正データ生成部１７ｄは、指示されたトナー削減率に対応する特性曲線（図４（ａ）参照）を生成する。そして、パラメータ生成部１７ｅは、この特性曲線上にある入力信号の濃度値と出力信号の濃度値との組み合わせを一定間隔の点について取得し、これらの組み合わせを例えばＬＵＴとして保持し、これを参照して信号の変換を行うようにする。
【００２１】
尚、トナー削減率に比例して知覚的濃度が推移するとは限らないことの原因としては、上記に加え、人間の濃度に関する知覚特性が線形でないことも挙げられる。そのため、知覚的な線形性を予め実験的に求め、代表的な値として持たせておき、これを用いて同様の変換を行うようにしてもよい。
【００２２】
また、一律処理、階調重視処理以外のトナー削減処理として、色重視処理もある。
この色重視処理とは、例えば彩度を維持したままトナー量を削減する処理である。例えば、入力側のＣ、Ｍ、Ｙ、Ｋに対応するＬ＊ａ＊ｂ＊値と略同等の彩度を有し、かつ、対応する出力側のＣ、Ｍ、Ｙ、Ｋの濃度が低くなるようなＬ＊ａ＊ｂ＊値を求める。そして、この入力側のＣ、Ｍ、Ｙ、Ｋと出力側のＣ、Ｍ、Ｙ、Ｋとの組み合わせを例えばＬＵＴとして保持し、これを参照して信号の変換を行うようにするとよい。
更に、イメージ（例えば写真）に関しては，ディザパターンや誤差拡散法のパターンを変更する処理も考えられる。
【００２３】
次に、本実施の形態における画像処理装置１０の動作について説明する。
図５は、画像処理装置１０の動作例を示したフローチャートである。尚、詳しくは後述するが、この動作に先立ち、目標情報（例えばトナー削減率）、指針情報（例えばセーブ指針）、処理情報（例えばオブジェクト種別とトナー削減処理の種類との対応）をユーザが指定しているものとする。ここで、セーブ指針には、特定のオブジェクト種別を重視するという指針（特定オブジェクト重視指針）、画像に占める面積に基づいて決められたオブジェクト種別を優先するという指針（面積重視指針）、画像内の位置に基づいて決められたオブジェクト種別を優先するという指針（位置重視指針）等がある。
【００２４】
画像処理装置１０では、まず、画像受付部１５が画像データを受け付け、目標情報受付部１１が目標情報を受け付け、指針情報受付部１２が指針情報を受け付け、処理情報受付部１３が処理情報を受け付ける（ステップ１０１）。このとき、目標情報と指針情報と処理情報は、記憶部１４に記憶される。そして、画像解析部１６は、画像受付部１５が受け付けた画像データを解析し、画像データに含まれるオブジェクトを認識し、それらを分割する（ステップ１０２）。ここで、オブジェクトの種別には、上述したように、テキスト、グラフィック、イメージ等がある。
【００２５】
次に、処理決定部１７が、画像受付部１５が取得した画像データに基づく画像形成を行った場合に通常消費するトナー量を標準トナー量として求めておく（ステップ１０３）。そして、全てのオブジェクト種別について、トナー削減処理の種類及びパラメータを決定する。
具体的には、まず、全てのオブジェクトについてトナー削減量の算出処理を行ったかどうかを判定する（ステップ１０４）。
ここで、全てのオブジェクトについて処理を行っていない場合は、記憶部１４に記憶された目標情報、指針情報、処理情報に基づいて、そのオブジェクト種別に対するトナー削減処理を仮に決定する処理を行う（ステップ１０５）。尚、この決定処理の詳細については後述する。その後、処理決定部１７は、ステップ１０５で仮に決定されたトナー削減処理を用いた場合に実際に削減されるトナー量を算出する（ステップ１０６）。そして、この算出したトナー量を画像データ全体として削減されるトナー量を示す削減トナー量に積算し（ステップ１０７）、ステップ１０４に戻る。
【００２６】
このように、処理決定部１７は、トナー削減処理の決定、及び、そのトナー削減処理による削減トナー量の積算を、全てのオブジェクトについて行う。即ち、ステップ１０４で全てのオブジェクトについて処理を行ったと判定するまでステップ１０５〜１０７の処理を行い、全てのオブジェクトについて処理を行ったと判定すると、削減トナー量を標準トナー量で割ってトナー削減率を算出する（ステップ１０８）。そして、この算出されたトナー削減率が、記憶部１４に記憶された目標のトナー削減率以上であるかどうかを判定する（ステップ１０９）。その結果、算出されたトナー削減率が、目標のトナー削減率以上でなければ、ステップ１０４〜１０８の処理を繰り返す。また、目標のトナー削減率以上であれば、画像出力部１８が、そのとき決定されているトナー削減処理を画像データに施し、画像データを画像形成部に対して出力する（ステップ１１０）。
【００２７】
ここで、ステップ１０５におけるトナー削減処理の決定処理の詳細について説明する。
前述の通り、この決定処理において用いられる情報の１つに、ユーザが指定したセーブ指針の情報がある。既に述べたように、セーブ指針には、特定オブジェクト重視指針、面積重視指針、位置重視指針等があるが、ここでは、最初の２つのセーブ指針が指定された場合について説明する。
【００２８】
まず、特定オブジェクト重視指針が指定された場合におけるトナー削減処理の決定処理について説明する。尚、特定オブジェクト重視指針は、詳しくは、特定のオブジェクト種別を重視してそのオブジェクト種別に対するトナー削減処理による影響を極力抑えるようにするセーブ指針である。
【００２９】
図６は、この場合におけるユーザインターフェイス上での指定例を示している。尚、このユーザインターフェイスは、プリンタでトナー削減処理を行う場合であれば、ＰＣ側でプリンタドライバが表示するとよい。また、複写機でトナー削減処理を行う場合であれば、複写機側で表示パネルに表示するとよい。
この指定例では、目標情報として、トナー削減率「２０％」が指定されている。また、処理情報として、テキストに対して一律処理が、グラフィックに対して階調重視処理が、イメージに対して色重視処理が指定されている。更に、この場合、セーブ指針としては、特定のオブジェクト種別を重視する旨が指定されるが、図では「写真を重視」となっている。つまり、テキスト、グラフィック、イメージのうち、イメージを重視するという指針である。
【００３０】
また、図７は、この場合の処理決定部１７のトナー削減処理の決定動作例を示したフローチャートである。尚、このフローチャートは、図５のステップ１０５で着目しているオブジェクト種別についての動作を示す。
まず、処理決定部１７は、記憶部１４に記憶された処理情報を参照し、着目しているオブジェクト種別に対応付けられたトナー削減処理の種類を特定する（ステップ２０１）。例えば、着目しているオブジェクト種別が「グラフィック」であれば、トナー削減処理として階調重視処理を特定する。
【００３１】
そして、記憶部１４に記憶された指針情報を参照し、着目しているオブジェクト種別が、重視すべきオブジェクト種別として指定されているかどうかを判定する（ステップ２０２）。
ここで、重視すべきオブジェクト種別として指定されていれば、ステップ２０１で特定されたトナー削減処理に対して予め設定されたトナー削減率のうち最も優先度が高いものを選択し、選択したトナー削減率に応じたパラメータを生成する（ステップ２０３）。例えば、階調重視処理に対するトナー削減率として、優先度が高い順に「１０％」、「２０％」、…が設定されていたとすると、削減率指示部１７ａが、トナー削減率として「１０％」を指示する。そして、濃度値取得部１７ｃ、補正データ生成部１７ｄ、パラメータ生成部１７ｅが、「１０％」に対応する特性曲線に基づいて、パラメータを生成する。
【００３２】
一方、重視すべきオブジェクト種別として指定されていなければ、ステップ２０１で特定されたトナー削減処理に対して予め設定されたトナー削減率のうち、未だ選択されておらず、選択限度内のトナー削減率が存在するかどうかを判定する（ステップ２０４）。この場合、未だ選択されていないとの判断は、各トナー削減率に対して設定された選択済フラグが「ＯＮ」なっていないことを条件に行うとよい。また、選択限度とは、トナー削減率をどのレベルまで選択してよいかの限度を示す情報である。トナー削減率として理論的には１０％〜９０％まであったとしても、あまりにトナーを削減してしまうと画像の劣化が顕著になり過ぎるので、このような選択の限度を設けているのである。
【００３３】
そして、未だ選択されておらず、選択限度内のトナー削減率があれば、その中で最も優先度が高いものを選択し、選択したトナー削減率に応じたパラメータを生成する（ステップ２０５）。例えば、階調重視処理に対するトナー削減率として、優先度が高い順に「１０％」、「２０％」、…が設定されており、「１０％」の選択フラグが「ＯＮ」になっていたとすると、削減率指示部１７ａが、トナー削減率として「２０％」を指示する。そして、濃度値取得部１７ｃ、補正データ生成部１７ｄ、パラメータ生成部１７ｅが、「２０％」に対応する特性曲線に基づいて、パラメータを生成する。
その後、処理決定部１７は、選択したトナー削減率に対する選択フラグを「ＯＮ」に設定する（ステップ２０６）。
一方、未だ選択されておらず、選択限度内のトナー削減率がなければ、後述するトナー削減率未達時処理を行う（ステップ２０７）。
【００３４】
次に、面積重視指針が指定された場合におけるトナー削減処理の決定処理について説明する。尚、画像内で大きな面積を占めるオブジェクト種別ほど、トナー削減処理の効果があると考えられるので、面積重視指針は、例えば、一定以上の面積を占めるオブジェクト種別を優先的にトナー削減の対象にするという指針である。
【００３５】
図８は、この場合におけるユーザインターフェイス上での指定例を示している。尚、このユーザインターフェイスは、プリンタでトナー削減処理を行う場合であれば、ＰＣ側でプリンタドライバが表示するとよい。また、複写機でトナー削減処理を行う場合であれば、複写機側で表示パネルに表示するとよい。
この指定例でも、目標情報として、トナー削減率「２０％」が指定されている。また、処理情報として、テキストに対して一律処理が、グラフィックに対して階調重視処理が、イメージに対して色重視処理が指定されている。更に、この場合、セーブ指針は、「面積を重視」となっている。
【００３６】
また、図９は、この場合の処理決定部１７のトナー削減処理の決定動作例を示したフローチャートである。尚、このフローチャートは、図５のステップ１０５で着目しているオブジェクト種別についての動作を示す。
まず、処理決定部１７は、記憶部１４に記憶された処理情報を参照し、着目しているオブジェクト種別に対応付けられたトナー削減処理の種類を特定する（ステップ３０１）。例えば、着目しているオブジェクト種別が「グラフィック」であれば、トナー削減処理として階調重視処理を特定する。
【００３７】
そして、記憶部１４に記憶された指針情報を参照し、着目しているオブジェクト種別の画像が占める面積が所定の閾値を超えているかどうかを判定する（ステップ３０２）。
ここで、面積が所定の閾値を超えていなければ、ステップ３０１で特定されたトナー削減処理に対して予め設定されたトナー削減率のうち最も優先度が高いものを選択し、選択したトナー削減率に応じたパラメータを生成する（ステップ３０３）。例えば、階調重視処理に対するトナー削減率として、優先度が高い順に「１０％」、「２０％」、…が設定されていたとすると、削減率指示部１７ａが、トナー削減率として「１０％」を指示する。そして、濃度値取得部１７ｃ、補正データ生成部１７ｄ、パラメータ生成部１７ｅが、「１０％」に対応する特性曲線に基づいて、パラメータを生成する。
【００３８】
一方、面積が所定の閾値を超えていれば、ステップ３０１で特定されたトナー削減処理に対して予め設定されたトナー削減率のうち、未だ選択されておらず、選択限度内のトナー削減率が存在するかどうかを判定する（ステップ３０４）。この場合、未だ選択されていないとの判断は、各トナー削減率に対して設定された選択済フラグが「ＯＮ」なっていないことを条件に行うとよい。また、選択限度とは、トナー削減率をどのレベルまで選択してよいかの限度を示す情報である。トナー削減率として理論的には１０％〜９０％まであったとしても、あまりにトナーを削減してしまうと画像の劣化が顕著になり過ぎるので、このような選択の限度を設けているのである。
【００３９】
そして、未だ選択されておらず、選択限度内のトナー削減率があれば、その中で最も優先度が高いものを選択し、選択したトナー削減率に応じたパラメータを生成する（ステップ３０５）。例えば、階調重視処理に対するトナー削減率として、優先度が高い順に「１０％」、「２０％」、…が設定されており、「１０％」の選択フラグが「ＯＮ」になっていたとすると、削減率指示部１７ａが、トナー削減率として「２０％」を指示する。そして、濃度値取得部１７ｃ、補正データ生成部１７ｄ、パラメータ生成部１７ｅが、「２０％」に対応する特性曲線に基づいて、パラメータを生成する。
その後、処理決定部１７は、選択したトナー削減率に対する選択フラグを「ＯＮ」に設定する（ステップ３０６）。
一方、未だ選択されておらず、選択限度内のトナー削減率がなければ、後述するトナー削減率未達時処理を行う（ステップ３０７）。
【００４０】
続いて、ステップ２０７又は３０７におけるトナー削減率未達時の処理について説明する。
図１０は、トナー削減率未達時の処理の動作例を示したフローチャートである。
まず、処理決定部１７は、図６又は図８のユーザインターフェイスにおいて「効果が大きければ指針を変えてもよい」にチェックがなされているかどうかを判定する（ステップ４０１）。
ここで、そのようなチェックがなされていなければ、ユーザに対し、指定されたトナー削減率では画像の劣化が顕著になる旨の告知画面を表示する（ステップ４０２）。
一方、そのようなチェックがなされていれば、トナー削減に効果がある事前に決めておいた例外処理を行う（ステップ４０３）。尚、例外処理としては、Ｃ、Ｍ、ＹのトナーをＫトナーに置き換えるＵＣＲ（Under Color Removal）等が考えられる。
【００４１】
ここで、ステップ４０２で表示される告知画面について説明する。
図１１に、このような告知画面の一例を示す。
この告知画面においては、指定されたトナー削減率では画像の劣化が目立つ旨のメッセージと共に、選択肢として「続ける」、「設定を変える」、「キャンセル」が表示されている。
例えば、ユーザが「続ける」を選択したとすると、現在の設定のままトナー削減処理を続行する。即ち、上記動作においては、トナー削減処理の内容を決定する際に指示するトナー削減率に一定の限度を設けて、極端に劣化した画像が生成されないようにしたが、ここで「続ける」が選択された場合は、そのような限度を考慮せずにトナー削減処理を続ける。
また、ユーザが「設定を変える」を選択したとすると、トナー削減率、セーブ指針、オブジェクト種別とトナー削減処理の種類との対応等の設定を変更して、トナー削減処理を続ける。
一方、ユーザが「キャンセル」を選択すると、トナー削減処理はこの時点で終了し、例えばトナー削減処理を施さずに画像を出力する。
【００４２】
尚、これまで述べた実施の形態では、オブジェクト種別ごとにトナー削減処理を決定するようにしたが、必ずしもこのような構成には限らない。即ち、オブジェクト種別とは関係なくトナー削減処理を決定する対象の画像の部分を定めてもよいし、同じオブジェクト種別の画像部分について別々にトナー削減処理を決定するようにしてもよい。
また、セーブ指針としては上記で例示したもの以外を採用してもよい。例えば、オリジナルの画像の印象を残すようなトナーセーブを実現する、といった指針であってもよい。
【００４３】
ところで、本実施の形態における画像処理装置１０は、汎用のコンピュータにおいて実現してもよい。そこで、この画像処理装置１０をコンピュータ９０で実現するものとして、そのハードウェア構成について説明する。
図１２は、コンピュータ９０のハードウェア構成を示した図である。
図示するように、コンピュータ９０は、演算手段であるＣＰＵ（Central Processing Unit）９１と、記憶手段であるメインメモリ９２及び磁気ディスク装置（ＨＤＤ：Hard Disk Drive）９３とを備える。ここで、ＣＰＵ９１は、ＯＳ（Operating System）やアプリケーション等の各種ソフトウェアを実行し、上述した各機能を実現する。また、メインメモリ９２は、各種ソフトウェアやその実行に用いるデータ等を記憶する記憶領域であり、磁気ディスク装置９３は、各種ソフトウェアに対する入力データや各種ソフトウェアからの出力データ等を記憶する記憶領域である。
更に、コンピュータ９０は、外部との通信を行うための通信Ｉ/Ｆ９４と、ビデオメモリやディスプレイ等からなる表示機構９５と、キーボードやマウス等の入力デバイス９６とを備える。
【００４４】
尚、本実施の形態を実現するプログラムは、通信手段により提供することはもちろん、ＣＤ−ＲＯＭ等の記録媒体に格納して提供するようにしてもよい。
【図面の簡単な説明】
【００４５】
【図１】本発明の実施の形態における画像処理装置の機能構成を示したブロック図である。
【図２】本発明の実施の形態で用いるトナー削減処理の一例である一律処理について説明するための図である。
【図３】出力信号における濃度値と画像濃度との関係を示した図である。
【図４】本発明の実施の形態で用いるトナー削減処理の一例である階調重視処理について説明するための図である。
【図５】本発明の実施の形態における画像処理装置の動作例を示したフローチャートである。
【図６】本発明の実施の形態において特定オブジェクト重視指針を指定するユーザインターフェイスの例を示した図である。
【図７】本発明の実施の形態における特定オブジェクト重視指針が指定された場合のトナー削減処理の決定処理の動作例を示したフローチャートである。
【図８】本発明の実施の形態において面積重視指針を指定するユーザインターフェイスの例を示した図である。
【図９】本発明の実施の形態における面積重視指針が指定された場合のトナー削減処理の決定処理の動作例を示したフローチャートである。
【図１０】本発明の実施の形態におけるトナー削減率未達時の処理の動作例を示したフローチャートである。
【図１１】本発明の実施の形態において表示される告知画面の例を示した図である。
【図１２】本発明の実施の形態を適用可能なコンピュータのハードウェア構成図である。
【符号の説明】
【００４６】
１０…画像処理装置、１１…目標情報受付部、１２…指針情報受付部、１３…処理情報受付部、１４…記憶部、１５…画像受付部、１６…画像解析部、１７…処理決定部、１８…画像出力部
【図１】
2009069680.tif 000003
【図２】
2009069680.tif 000004
【図３】
2009069680.tif 000005
【図４】
2009069680.tif 000006
【図５】
2009069680.tif 000007
【図６】
2009069680.tif 000008
【図７】
2009069680.tif 000009
【図８】
2009069680.tif 000010
【図９】
2009069680.tif 000011
【図１０】
2009069680.tif 000012
【図１１】
2009069680.tif 000013
【図１２】
2009069680.tif 000014